(57)【特許請求の範囲】
【請求項１】
上壁と、底壁と、側壁とを有するコンクリートブロックであって、
さらに、前記上壁を貫通する切欠きまたは貫通孔であって、当該コンクリートブロックを設置する際に吊るためのロープまたは当該ロープを吊り下げるフックが通過する程度のサイズの切欠きまたは貫通孔と、
前記ロープを当該コンクリートブロックの内側から取り付けるように設置された取付具またはその取付具を固定するアンカーとを有するコンクリートブロック。
【請求項２】
請求項１において、前記取付具またはアンカーは、当該コンクリートブロックの底壁またはその底壁に近い側壁に設けられているコンクリートブロック。
【請求項３】
請求項１において、前記貫通孔は、当該コンクリートブロックのほぼ重心上に設けられているコンクリートブロック。
【請求項４】
請求項１において、前記コンクリートブロックは端壁を有し、前記貫通孔は、上壁の中心より前記端壁の側にシフトした位置に設けられているコンクリートブロック。
【請求項５】
請求項１において、前記貫通孔は、楕円または長方形であるコンクリートブロック。
【請求項６】
請求項５において、前記コンクリートブロックは端壁を有し、前記貫通孔は、前記端壁に直角な方向に延びているコンクリートブロック。
【請求項７】
請求項１において、前記貫通孔の径は、下に向かって小さいコンクリートブロック。
【請求項８】
請求項１において、前記貫通孔は途中に、上面の側が広がった段差があるコンクリートブロック。
【請求項９】
請求項１に記載のコンクリートブロックが接続されていることを特徴とするコンクリート製のボックス。
【請求項１０】
上壁を有するコンクリートブロックを設置する際に、前記上壁を貫通する切欠きまたは貫通孔であって、ロープまたは当該ロープを吊り下げるフックが通過する程度のサイズの切欠きまたは貫通孔を介して吊り用のロープまたは当該ロープを吊り下げるフックを前記コンクリートブロックの内部に入れ、前記コンクリートブロックの内側に設置された取付具に前記ロープを取り付ける準備工程と、
前記ロープにより前記コンクリートブロックを吊り下げて所望の位置に設置する工程と、
前記切欠きまたは貫通孔を塞ぐ後処理工程とを有するコンクリートブロックの設置方法。
【請求項１１】
請求項１０において、前記後処理工程では、前記切欠きまたは貫通孔をコンクリートにより塞ぐコンクリートブロックの設置方法。
【請求項１２】
請求項１０のコンクリートブロックの設置方法により設置された前記コンクリートブロックを接続してコンクリート製のボックスを製造する方法。
【発明の詳細な説明】
【０００１】
【発明の属する技術分野】
本発明は、管路あるいは共同溝、防火水槽などのコンクリート製のボックスを組み立てて製造あるいは施工するのに適した、上壁を有するコンクリートブロックおよびその設置方法に関するものである。
【０００２】
【従来の技術】
近年、既設の道路に沿って共同溝を敷設し、その中に電線や通信線を通して電線などを地中化する工事が盛んに行われており、分岐用などとして適当なピッチでコンクリート製のボックスが施工される。図１４に示すようなコンクリート製ボックス１は、ハンドホールあるいはＣＣボックスと呼ばれている。このコンクリートボックス１は主として、歩道に沿って埋設され、その平面は長方形である。従来の製品は、図１５に示すように断面形状はＵ型が主流であり、内径は、幅１２００ｍｍ、深さは、９００から１８００ｍｍ程度が多い。また、図１４（ａ）から（ｃ）に示すように、ボックス１の長さは、埋設される電線の量や、ボックス１から分岐する電線の量などにより３０００、４５００、６０００ｍｍなど、その長さが変化する。この程度の大きさのコンクリート製ボックス１は大型で重量物であるために(１セット、９から１８トン程度)、長さ１５００ｍｍ程度で１つが３トンから６トンのユニット、すなわち、コンクリートブロック２に分けて連結する場合が多い。そして、組み立てられたコンクリートブロック２の両サイドをケーブル保護管があらかじめ埋設されている端板３で塞いで全体として大きな桝（ボックス）１を形成する。さらに、スラブ（天井）部分を構成するコンクリート板４を載せ、人が出入りする必要があるときは、コンクリート板の代わりに大きな鋳物製の蓋が載せられることが多い。マンホール５となる開口部分を有する板を載せて、鋳物製の蓋６を載せることも可能である。
【０００３】
このようなブロック２を組み立ててボックス１を形成あるいは施工する作業は、図１６に示すように、まず、ボックス１を埋設する部分の地面７を掘削し、砂利８を敷いて底板９を設定した後に、崩落防止パネル１０で側面を保護し、さらに、サポータ１１で崩落防止パネル１０を支持する。このようにして形成された埋設領域１３にブロック２を、クレーンなどを用いて搬入し、埋設領域１３の内部でボックス１を組み立てる。
【０００４】
図１７に断面がＵ字型のブロック２を吊り下げて搬入する様子を示してある。断面がＵ字型のブロック２では、底面２ｂに埋設されたインサート１５などのアンカーにアイボルト１６などの取付具を取り付け、吊り下げ用のワイヤロープ１７をアイボルト１６に掛ける。そして、ロープ１７をクレーンのフック１８に掛けてブロック２を吊り下げる。
【０００５】
【特許文献１】
特開平１０−１３６５４３号公報
【０００６】
【発明が解決しようとする課題】
特開平１０−１３６５４３号公報に示すように、最近、断面が箱型のユニット（コンクリート製ブロック）も使用されるようになってきた。その理由は箱型のほうが、構造計算上、土圧、車荷重に強い。したがって、壁厚を薄くでき、また鉄筋量を減らせるメリットがあるからである。さらに、蓋を小さくすることができるなどのメリットがあるからである。すなわち、断面が箱型のブロックの場合、天井（スラブ）は、コンクリート板を載せるのではなく、側壁と一体に成形されているので強い構造になっている。また、人が出入りするための開口部は直径が７００ｍｍから９００ｍｍ程度の円形が多いがスラブをコンクリートにすると、マンホールの開口部を小さくすることができるので、高価な鋳物の蓋を小さくできる。
【０００７】
図１８ないし図２０にコンクリート製ブロックを吊り下げてコンクリート製ボックス１を施工する様子を示してある。ボックス１の敷設には、重量物であるブロック２を吊り下げるために大型クレーンが使用され、さらに、この工事が行われる場所は市街地である。たとえば、商店街などであることも多い。このような場所では、ボックス１を埋設する領域１３の頭上には、くもの巣のように電線２１や通信線が張りめぐらされている場合が多い。共同溝を施工する目的は、電線２１や通信線などを地中化するためであり、地上の電線２や通信線をなくすこともその目的である。しかしながら、共同溝の工事を行うときは、これら既存の電柱２０、電線２１、通信線はまだ使用されており、これらを撤去できるのはこの工事が終わり、共同溝が利用できるようになり、さらに、共同溝に通線された後である。したがって、電線２１などが存在する条件で共同溝用のボックス１を敷設する必要がある。
【０００８】
電線２１と同様に上方の障害としては、アーケードなどの建築物がある。一方、下方の障害としては、歩道と車道との間に設けられているガードレール２２や植樹帯などがある。したがって、図１８に示すように、ブロック２は、これらの障害物の間を吊り下げて敷設領域１３に搬入する必要がある。従来の断面がＵ型のブロック２は、底面２ｂにインサート１５あるいはその他のアンカーが埋設されているので、インサート１５にアイボルト１６をねじ込み、アイボルト１６とワイヤロープ１７でクレーン１９のフック１８に連絡することができる。したがって、ブロック２の高さ（深さ）を吊長さ（吊り代）として利用できるので、ブロック２を吊り下げながら横移動して搬入するのに必要なクリアランスＣは比較的小さくて良い。
【０００９】
また、図１９に示すように、スラブも含めてプレハブされたボックスタイプのブロック３０であっても、マンホール蓋が乗せられる開口部のあるユニット３１は、同様に吊りこみ可能である。すなわち、底面３０ｂにインサート１５を埋設しておき、アイボルト１６を取り付けた後、ワイヤロープ１７を取り付けてユニット３１を吊り上げる際、マンホール蓋を載せる開口３９を介してクレーン１９のフック１８とユニット３１とを連絡することが可能である。したがって、このユニット３１では、その高さを吊り代に利用でき、吊り込むためのクリアランスＣは上記と同様に比較的小さい。
【００１０】
しかしながら、図２０に示すように、ボックスタイプのブロック３０であって、マンホールのないユニット３２は、吊り込みは簡単ではない。このユニット３２においては、スラブ上面３０ｕにアンカー１５を埋設し、アイボルト１６を取り付けた後、ワイヤロープ１７を取り付けてユニット３２を吊り上げることになる。したがって、ユニット３２は、その高さを吊り代に利用できない。ワイヤロープ１７の角度θを大きくすれば、吊り代は小さくなるが、ワイヤロープ１７の角度θは、安全のため４５度以上には原則としてできない。アンカーに負担が大きく危険となるからである。したがって、吊りこむためのクリアランスが大きくなり、頭上の電線２１や、ガードレール２２と干渉し、埋設領域１３に搬入できない。
【００１１】
このユニット３２においても、底面３０ｂにアンカーを埋設して、前後の開口から底面３０ｂにワイヤロープ１７を前後方向から取り付けることが可能な場合もある。この場合、スラブ３０ｕにワイヤロープ１７が当たることを容認すれば１台のクレーンで吊り込むことが可能であろう。しかしながら、スラブ３０ｕにワイヤロープが当たってしまうので玉掛け作業としては好ましくない。２台のクレーンで前後から吊ればワイヤロープがスラブ３０ｕに当たらないが、２台のクレーンが必要になるというコストの増加と、２台のクレーンを協調して制御しないといけないという作業効率の低下が考えられる。
【００１２】
さらに、この方法では、隣接するユニットと接続する方向にワイヤロープが出るので、一旦降ろした製品を前後に移動できない。強引に移動させると、ワイヤロープがはずせない。ワイヤロープをはずす隙間を空けて降ろしても、その後、ユニット３２は、バールでは横に移動できる重量でない。製品（ユニット）３２は、ボックス３１を分割したものであるが、１つ当たり４から７トン程度の重量である。
【００１３】
したがって、上面にマンホールのないユニット３２を搬入するためには、ガードレール、植樹などをはずして、ユニット３２を搬入した後に再び復旧するという作業を行う必要がある。また、電線２１を一時的に、クレーン１９の旋回半径に支障のない場所に迂回し、その後、復旧する工事を行う必要がある。したがって、これらの工事は、基本的に無駄な工事であり、施工時間と施工費用の単なる増加となる。
【００１４】
ボックス１を、全てマンホール３９のあるユニット３１で構成することにより、上記の問題を回避することができる。しかしながら、全てのマンホール３９にコンクリートブロックに対して高価な鋳鉄製の蓋を設置する必要があり、ボックス１の製造コストが上がる。特に、幹線道路であると、耐荷重の大きなマンホール蓋を設置する必要があるので、製造コストは増加する。さらに、本来、マンホール３９は出入り可能な部分であり、全てのユニット３１にマンホール３９が取り付けられているのに、それを埋め戻してしまうこともできず、結局、不必要にマンホールが多いボックスとなり、そのマンホールに地上からアクセスできるようにする工事の費用が増加し、地表には不必要に数多くのマンホールが現れることになる。
【００１５】
そこで、本発明においては、スラブ（上壁）を有するコンクリートブロックを用いてコンクリートボックスを施工する際に、マンホールのないコンクリートブロックであっても吊り代が短く、周りの障害物を取り除かなくても吊り込みが容易なコンクリートブロック、およびそれを用いたコンクリートボックスの製造方法を提供することを目的としている。
【００１６】
【課題を解決するための手段】
このため、本発明においては、コンクリートブロックあるいはユニットの上壁に、ロープあるいはロープを吊り下げるフックが通過する程度の径の貫通孔あるいは切欠きを設け、マンホール用の開口が用意されていなくても、ロープあるいはフックをコンクリートブロック内に入れて、隣接したブロックあるいはユニットと連結した後にロープあるいはフックを取り外せるようにして、ブロックの高さを吊り代として利用できるようにしている。すなわち、本発明のコンクリートブロックは、上壁と、底壁と、側壁とを有し、この上壁を貫通する貫通孔または切欠きであって、当該コンクリートブロックを設置する際に吊るためのロープまたは当該ロープを吊り下げるフックが通過する程度のサイズの切欠きまたは貫通孔と、ロープを当該コンクリートブロックの内側から取り付けるように設置された取付具またはその取付具を固定するアンカーとを有する。
【００１７】
このコンクリートブロックであれば、取付具またはアンカーを、当該コンクリートブロックの底壁またはその底壁に近い側壁に設けることにより、上壁を通してロープを底壁に取り付けて吊り上げることができる。そして、隣接したブロックと組み立てた後、あるいは繋ぎ合わせた後にロープあるいはフックをブロック内から簡単に取り除くことができる。したがって、支障なくコンクリートブロックの高さを吊り代として利用することができ、コンクリートブロックを搬入するための上下のクリアランスを小さくできる。このため、搬入するルートの障害物との干渉を避けることができ、障害物を撤去する無駄な作業を防止できる。
【００１８】
そして、上壁には、ロープあるいはロープを吊り下げるフックが通過する程度の径、例えば、数１０ｍｍ程度以上で、５００ｍｍ程度以下、さらに好ましくは３００ｍｍ程度以下の径の貫通孔を設けるだけで良い。したがって、小径の貫通孔であれば、ソケットやスリーブを埋設するだけで貫通孔を成形できる。また、マンホールとしては機能しないので、開閉するための高価な鋳鉄製の蓋は必要ない。さらに、小径で単に土砂や雨水の浸入を阻止する程度でよければ、プラスチック製のキャップで貫通孔を塞ぐことができる。コンクリートブロックが小型で比較的重量が軽い、例えば１から３トン程度の場合は、３０から４０ｍｍ程度さらには５０ｍｍ程度以下の径の貫通孔を設ければワイヤロープを通して、底からコンクリートブロックを吊り下げることができる。
【００１９】
また、上壁、底壁および側壁を有し、水平方向に中空部分が延びた筒型のコンクリートブロックであれば、上壁の縁に幅が数１０ｍｍ程度の切欠きを設け、その切欠きを通し、底壁あるいは側壁に設けたアイボルトなどにロープを取り付けることによりコンクリートブロックを吊り上げることができ、また、隣接したブロックと接続した後も、切欠きの部分が開くので、ロープを取り外すことができる。切欠きの幅はロープが通る程度で良いので、上記の貫通孔と同様にコンクリート製のボックスを組み立てた後に簡単に塞ぐことができる。
【００２０】
また、貫通孔を、楕円または長方形にすることにより、狭い幅の貫通孔を通して、ワイヤロープを吊り下げるフック自身をコンクリートブロックの内部に挿入してコンクリートブロックを吊り下げることができる。したがって、さらに、吊り代を少なくすることが可能である。フックを通すためには、ワイヤロープ以上の面積の孔が必要であるが、フックを通すだけであれば円形の孔は不要であり、楕円あるいはほぼ長方形の断面の貫通孔で良い。また、このような形状であれば、断面がフックが通る直径を有する断面が円形の貫通孔よりも断面欠損が小さくなるので、コンクリートブロックの強度に対する影響が少ない。さらに、比較的軽量のコンクリートブロックを吊るためのフックを通す程度であれば、幅の狭い楕円または長方形の貫通孔で良いので、上記と同様に、プラスチック製のキャップやモルタルなどで土砂や雨水の浸入を防止できる程度の構成で貫通孔を塞ぐだけでよい。大型のコンクリートブロックを吊る場合は、フックのサイズも大きくなるので、２００ｍｍ×３００ｍｍ前後の長方形の貫通孔を設ける必要がある。
【００２１】
このように、コンクリートブロックが大きく、重い場合、例えば数トン程度の場合は、ワイヤロープが太くなり、それらがコンクリートブロックに擦れない程度の貫通孔となると径が５０ｍｍ程度あるいはそれ以上になる可能性がある。また、フックも大型になるので、フックが挿入できるように貫通孔を楕円あるいは長方形にする場合も幅が５０ｍｍ程度あるいはそれ以上になる可能性がある。この程度になると、コンクリートブロックの上部に重量物が載ったときに、貫通孔の部分にある程度の荷重が掛かる可能性があり、適当な強度が確保できる方法で貫通孔を塞ぐことが望ましい。例えば、現場でコンクリートを詰めても塞いでもよい。さらに、貫通孔に適合するサイズにプレハブされたコンクリート製のキャップを取り付けて封止しても良い。
【００２２】
貫通孔は垂直であっても良く、小径の場合は、接着剤などにより貫通孔を封止する部材がずれ落ちたりすることを防止できる。さらなる安全を考慮すると、貫通孔を封止する部材が上部からの荷重に対して抵抗できるように、貫通孔の径は、下に向かって小さくなっていることが望ましい。特に、直径あるいは幅が５０ｍｍ程度を越す場合は、貫通孔の形状を下に狭くして、荷重が加わっても貫通孔を封止する部材が落下しないようにすることが望ましい。マンホールなどの大型の孔の断面は、作業員が出入りしやすいように、下に向って大きくなっており、本発明のコンクリートブロックの上壁に設けられる貫通孔とは形状が異なる。
【００２３】
貫通孔がテーパー状になっている場合、そのテーパー状の貫通孔にテーパーの製品（栓）を入れて封止しようとすると、コンクリートブロックの上壁の上面（スラブ面）で高さをあわせることがむずかしい。特に、栓をコンクリートで造ると寸法誤差を解消できない。したがって、貫通孔の径より、栓の径が大きい場合には、栓はスラブ面より突出する。一方、貫通孔の径より、栓の径が小さい場合には、栓はスラブ面より凹む。貫通孔の途中に、上方が広くなった段差を設けると、その段差の面で栓を支持できる。段差の面は、上壁の上面と平行な面であることが位置合わせとしては望ましいが、それに限定されるものではない。貫通孔に段差を設けることにより、貫通孔の径と、栓の径との間にある程度の公差あるいはクリアランスがあっても良く、貫通孔に取り付けたときに栓の上面が、コンクリートブロックの上面と一致するようにセットすることが容易となる。
【００２４】
また、貫通孔は、当該コンクリートブロックのほぼ重心上に設けられていることが望ましい。端面板が取り付けられているコンクリートブロックなどは、形状が非対称であり、重心あるいは垂心がコンクリートブロックの中心、たとえば、長手方向の中心、短手方向の中心、あるいは、上面の中心にない。端面板を取り付けてあるコンクリートブロックは重心が端面板側になるので、吊りのための貫通孔は、上壁の端板側に設けることが望ましい。また、ワイヤロープを取り付けるための取付具あるいはそれを取り付けるアンカー位置も、端板側に偏っていることが望ましい。このような配置であると、ワイヤロープやフックがコンクリートブロックの一部と干渉して擦れたりするトラブルを防止できる。また、コンクリートブロックをほぼ水平に吊ることができるので、設置位置を簡単に精度良く制御することが可能となり、コンクリートブロックを現場に搬入して組み立ててコンクリート製ボックスを製造する作業が容易となる。
【００２５】
また、貫通孔を、楕円または長方形にする場合は、貫通孔は、端壁に直角な方向に延びていることが望ましい。このような貫通孔は、フックを入れるためにも用いられるが、コンクリートブロックの重心が移動する可能性があるときにも好適である。例えば、端壁の厚みや、端壁にケーブル敷設用の装置、例えば、ベルマウス付きの電線管を埋め込んだり、ノック孔を設ける場合は、電線管の量およびサイズや、ノック孔の数およびサイズにより端壁の重量が変動する。したがって、重心の位置も変動するが、端壁と直角な方向に延びた貫通孔を設けておくことにより多少の重心の移動にも対処でき、端壁を取り付ける前の上壁を備えたユニットをプレハブしておくことができる。
【００２６】
本発明のコンクリートブロックは、天井となる上壁あるいはスラブに小さな孔を設けることにより、マンホールの無いユニットにもマンホールのあるユニットと同じく、底面あるいは底面に近い側壁にアンカーを設けて吊り下げられるようにしたものである。したがって、本発明のコンクリートブロックを用いることにより、上壁を有するコンクリートブロックを設置する際に、上壁に設けられた、ロープまたはロープを吊り下げるフックが通過する程度の径の貫通孔を介して吊り用のロープまたは当該ロープを吊り下げるフックをコンクリートブロックの内部に入れ、ロープをコンクリートブロックの内側に設置された取付具にロープを取り付ける準備工程と、ロープによりコンクリートブロックを吊り下げて所望の位置に設置する工程と、貫通孔を塞ぐ後処理工程とを有するコンクリートブロックの設置方法を提供できる。また、このコンクリートブロックの設置方法により設置されたコンクリートブロックを接続してコンクリート製のボックスを製造することができる。
【００２７】
本発明におけるコンクリート製のボックスおよびその製造方法は、上壁を有する種類のコンクリートブロックを水平方向に組み合わせるものであり、ボックスの暗渠部には、完全に暗渠となるようにプレハブされたブロックを搬入して組み立てるのではなく、吊り込み用の小さな孔または切欠きが上壁に設けられたコンクリートブロックを用いて暗渠部を構成し、ボックスを施工する際に吊り込み用の孔を塞いで暗渠部となるようにしている。したがって、開渠部と暗渠部とを有するコンクリート製ボックスを本発明により製造する際は、上壁にマンホールサイズの開口が形成されたコンクリートブロックにより開渠部を形成し、上壁を貫通する切欠きまたは貫通孔であって、ロープまたはロープを吊り下げるフックが通過する程度のサイズの切欠きまたは貫通孔が上壁に形成されたコンクリートブロックにより暗渠部を形成する。
【００２８】
【発明の実施の形態】
以下に図面を参照して本発明についてさらに説明する。図１に、本発明の実施例に係るコンクリートブロックを示してある。このコンクリートブロック５０は、図１４を参照して説明した共同溝となるコンクリートボックス１を組み立てるためのユニットであり、底板（底壁）５１と、左右の側壁５２と、上壁（スラブ）５３とを備えている。コンクリートブロック５０は、平面的には長方形あるいは正方形であり、コンクリートブロック５０の内部には、水平方向に断面がほぼ正方形の空洞５６が形成されている。そして、コンクリートブロック５０の両端面５５には、ボルトを差し込めるインサート５４が埋設されており、端壁を接続したり、隣接するブロックを接続する際に利用できる。したがって、複数のコンクリートブロック５０を図１６に示した埋設領域１３に搬入し、端面５５を適当な方法、例えば、ボルトで接続することにより、天井部分（スラブ）を備えたボックス１を製造できる。
【００２９】
本例のコンクリートブロック５０は、そのスラブ５３のほぼ中心に、スラブ５３を貫通する直径が５０ｍｍ程度の開口が円形の孔６０が形成されている。また、底板５１には、内部の空間５６に面してボルトを取り付けることができるインサート６５が底面５１ａのほぼ四隅に埋設されている。したがって、このコンクリートブロック５０は、図２に示すように、底板５１に埋設されたインサート６５をアンカーとしてワイヤロープを取り付けるためのアイボルト６６を取り付けることが可能である。また、図３に示すように、スラブ５３を貫通する孔６０は、断面の径が下に向って狭くなるようなテーパー孔となっており、テーパー状に形成したコンクリート製のキャップ部材６１をスラブ５３の上面（スラブ面）５３ａから取り付けることにより簡単に塞ぐことができる。
【００３０】
図４に、本例のコンクリートブロック５０をクレーン１９により吊り込む様子を示してある。図４の左側に示したように、クレーン１９のフック１８に取り付けたワイヤロープ１７を、スラブ５３を貫通する孔６０を介してコンクリートブロック５０の内部５６に挿入する。そして、底板５１のアンカー６５に取り付けられたアイボルト６６に、吊用のワイヤロープ１７を取り付けて、吊り込む準備を行う。次に、図１９に示したような、マンホールを有するユニットと同様に、コンクリートブロック５０を吊り下げて埋設領域１３に搬入し、所望の位置に設置する。その後、ワイヤロープ１７をアイボルト６６から外してワイヤロープ１７をコンクリートブロック５０から取り出し、図３に示すように、キャップ６１をスラブ５３の貫通孔６０に取り付けて貫通孔６０を塞ぐ。これにより、コンクリートブロック５０のスラブ５３は密閉することができる。密閉度を向上するために、キャップ６１を接着剤により貫通孔６０に取り付けても良いし、キャップ６１を貫通孔６０に取り付けた後に、モルタルなどによりコーキングしても良い。
【００３１】
複数のコンクリートブロック５０によりコンクリートボックス１を組み立てる場合は、各のコンクリートブロック５０の貫通孔６０をキャップ６１で塞ぐ後処理が終了した後に埋設領域１３を埋め戻す。マンホールが設けられているコンクリートブロックにおいては、マンホールに侵入する出入口を、現場コンクリートや、出入口用のユニットを組み立てることにより施工する。
【００３２】
図４の右側には、図２０で説明したブロック３２を搬入する様子を参考のために示してある。図２０で説明したように、このブロック３２では、スラブの上面３０ｕにアイボルト１６を取り付け、そのアイボルト１６にワイヤロープ１７を取り付けて吊り込む。比較すると分かるように、図４の左側に示した本例のコンクリートブロック５０においては、貫通孔６０を通してワイヤロープ１７をコンクリートブロック５０の内部５６に挿入し、底面５１ａに取り付けられたアイボルト６６を利用できる。このため、コンクリートブロック５０の底面５１ａから上のスペースを吊り代Ｓとして利用できる。一方、ブロック３２では、スラブの上面３０ｕから上のスペースしか吊り代Ｓとして利用できない。したがって、コンクリートブロック５０を吊り込むために必要なクリアランスＣは、コンクリートブロック３２を吊りこむために必要なクリアランスＣよりもかなり小さくなる。このため、マンホールのないブロック５０であっても、図１９に示したマンホールのあるブロック３１と同様に電線２１やガードレール２２といった障害物を撤去することなく、埋設領域１３に搬入することが可能となる。したがって、復旧工事も不要となり、低コストで、短期間にコンクリートボックス１を施工することができる。
【００３３】
さらに、ブロック５０の内部スペース５６を吊り代あるいはその一部として利用できるので、ワイヤロープ１７の角度θを小さくすることができるというメリットもある。スラブ面３０ｕにワイヤロープ１７を取り付ける場合、吊り代Ｓを縮小するにはワイヤロープ１７の角度θを大きくする必要があるが、安全性の点から角度θは４５度以下、少なくとも６０度以下であることが通常要求される。これに対して、本例のブロック５０であれば、内部スペース５６を吊り代に使うことができるので、ワイヤロープの角度θを小さくでき、ワイヤロープ１７およびアイボルト６６に掛かる負荷を小さくでき、サイズが大きく、重量も大きなブロック５０であっても、より安全に吊り込むことができる。
【００３４】
本例のブロック５０は、スラブ５３に貫通孔６０が設けられているが、その径は、ロープが通過する程度の径で良く、ロープが通過でき、ロープ１７とブロック５０との干渉を避けうる程度の最小の径であることが望ましい。ブロックの形状にも依存するが、例えば、ブロック５０の重量が３トン程度あるいはそれ以下の比較的軽量なものであれば、ロープ１７も細くて良いので、貫通孔６０の径は３０〜４０ｍｍ程度に収めることができる。この程度の径の孔であれば、スラブ５３に直にタイヤなどの重量物が載った場合でも、貫通孔６０を塞ぐ際に耐荷重を考慮しなくてよい。また、貫通孔６０を形成することによりスラブ５３の断面積の低下はほとんどなく、スラブ５３に埋設される鉄筋の配置にもほとんど影響を与えない。したがって、貫通孔６０は、土砂や雨水などの浸入を防止できる程度の範囲で塞げば良く、プラスチック製のソケットやスリーブを、貫通孔６０を成形するために埋めておき、プラスチック製のキャップ６１をねじ込んだり接着剤で止めることにより貫通孔６０を封止できる。耐食性のある金属、例えば、ＳＵＳや鋳鉄などでソケットやスリーブとキャップを構成することにより強度は増加するが、コストも増加する。しかしながら、直径が６００ｍｍあるいはそれ以上が要求され、耐荷重も数トンが要求されるマンホールと比較すると、コストの増加は微々たるものである。
【００３５】
重量が数トン程度のブロック５０になると、太いワイヤロープが必要となるので、スラブ５３に用意する貫通孔６０も最小径が５０ｍｍ程度あるいはそれ以上になる可能性がある。この程度の径の貫通孔であると、塞ぐ際に、ある程度の耐荷重を考慮することが望ましい。例えば、現場で、スラブ５３と同じ程度の厚さにコンクリートを詰めて塞ぐことにより、十分な強度で貫通孔６０を塞ぐことができる。現場で型枠を組む時間を省くためには、貫通孔６０に適合するサイズにプレハブされたコンクリート製のキャップ６１を用いることが有効である。さらに、図３に示すように、貫通孔６０が下に狭くなっているテーパー孔の場合は、下に狭くなったテーパー状のキャップ６１を単に孔６０に挿入するだけで、荷重が加わっても貫通孔を封止する部材が落下しないようにすることができる。接着剤を併用したり、モルタルなどによりキャップ６１を貫通孔６０の間をコーキングして強度を上げることも可能である。コンクリート製のキャップ６１は低コストで製造できる。また、直径が５０ｍｍ程度から１００ｍｍ程度であれば、キャップ６１は軽く、作業員一人でも問題なく貫通孔６０を塞ぐ工事を行うことができ、耐荷重も十分に高い。
【００３６】
図５に、本発明の異なるコンクリートブロックの例を示してある。図５（ａ）に示すように、このコンクリートブロック７０の全体形状は、上述したコンクリートブロック５０と共通するが、図５（ｂ）に拡大して示すように、スラブ５３の中央に設けられた貫通孔６３の途中が段差形状となり、そこに、上壁５３の上面（スラブ面）５３ａと平行な面６３ｃが形成されている。すなわち、このコンクリートブロック７０に設けられた貫通孔６３は、下側の孔６３ａと、それより径が大きな上側の孔６３ｂとにより構成されており、下側の孔６３ａは下側が狭くなるテーパー孔となっている。そして、上側の孔６３ｂと下側の孔６３ａとの境界に平面６３ｃが形成されている。一方、この孔６３に設置されるキャップ６４も２段構造となっており、下方の部分６４ａは、下側の孔６３ａにほぼ合致する形状であるが、下側の孔６３ａの内径より若干小さな外径の円柱状であり、上側の部分６４ｂは、上側の孔６３ｂの内径より若干小さな外径の円柱状であり、下側の円柱６４ａと上側の円柱６４ｂとの境界に、貫通孔６３の途中の平面６３ｃに接して止まる平面６４ｃが形成されている。
【００３７】
単純にテーパー状になっている貫通孔６０の場合、テーパー状のキャップ６１を入れて封止しようとすると、上面（スラブ面）５３ａで高さをあわせることがむずかしい。特に、キャップ６１がコンクリート製の場合は、寸法誤差を解消することが難しい。キャップ６１を取り付けたときにスラブ面５３ａに段差が発生することは、スラブ５３が埋め戻されてスラブ面５３ａが地表に表れない場合は大きな問題とならない。しかしながら、スラブ面５３ａが地表に表れる場合は、キャップの上面がスラブ面５３ａに一致していることが望ましい。本例の段差のある貫通孔６３とキャップ６４の組み合わせであると、貫通孔６３の途中の段差による面６３ｃによりキャップ６４の平面６４ｃが支持される。このため、貫通孔６３およびキャップ６４の径に公差（クリアランス）を設け、これらの径あるいは多少の歪みなどの変形による影響を防止し、上側の孔６３ｂの高さと、上側の円柱６４ｂの高さをあわせて成形するだけでキャップ６４の上面をスラブ面５３ａに簡単に一致させることができる。段差による面６３ｃは上面５３ａに平行でなくても、その面６３ｃでキャップ６１の位置合わせが行えればよい。しかしながら、テーパー状になっていると、上記と同様の問題が発生する可能性があり、段差による面６３ｃは上面５３ａと平行になっていることが望ましい。
【００３８】
図６に、本発明のさらに異なるコンクリートブロックの例を示してある。このコンクリートブロック７１の全体形状は、上述したコンクリートブロック５０と共通するが、スラブ５３の中央に、開口の形状が細長く、ほぼ長方形になった貫通孔６７が設けられている。クレーンのフック１８は、鉤形になっており、図７（ａ）に示す方向のサイズは大きくても、図７（ｂ）に示す方向のサイズは非常に小さい。したがって、本例のコンクリートブロック７１においては、断面（開口の形状）が長方形の貫通孔６７を通して、フック１８をブロックの内部５６に挿入することが可能となる。このため、ワイヤロープ１７の角度θを安全な範囲で大きくすることができ、ブロック内部の空間５６を用いて吊り代Ｓを最小限にすることができる。したがって、図８に示すように、ブロック７１を吊り込むためのクリアランスＣを図４に示したケースよりさらに小さくすることができる。
【００３９】
その一方で、スラブ５３を貫通する孔６７は、断面が長方形なので、図７（ｂ）に示す辺６７ａは長くても、図７（ｂ）に示す辺６７ｂは短い。したがって、短辺６７ｂを、ワイヤロープ１７を通すための貫通孔６０の径より小さくすることも可能となる。このため、貫通孔６７を封止することはさらに容易であり、プラスチック製の簡易なキャップで塞ぐことができる。また、貫通孔６７による短辺方向のスラブ５３の断面欠損は非常に小さくなるので、鉄筋の配置に対する影響や、スラブ５３の強度に対する影響もさらに小さい。
【００４０】
フック１８を通すための孔の断面形状は長方形にかぎらず、楕円形であっても良く、この場合も長軸に対して短軸方向の開口断面は小さくなるので、上記と同様に封止しやすく、スラブ５３の強度に対する影響は小さい。
【００４１】
図９に、本発明のさらに異なるコンクリートブロックの例を示してある。このコンクリートブロック７２の全体形状は、上述したコンクリートブロック５０に対してコンクリートボックス１の端を構成するブロックであり、一方の端７３に接続用の配管７５が予め埋め込まれた端面板（端壁）７４が取り付けられている。このため、本例のコンクリートブロック７２においては、スラブ５３の中央ではなく、端面板７４の方にシフトした位置に貫通孔６０が形成されている。この端壁７４は、側壁および上下の壁にボルトなどにより取り付けられた物であっても良く、また、側壁などと一体で成形されても良い。
【００４２】
図１０に示したブロック７９のように、スラブ５３の中央に貫通孔６０を設けてワイヤロープ１７を内部に下ろすようにしても良い。そして、底面５１ａに均等に埋め込まれたアンカー６５に取り付けられたアイボルト６６を用いてブロックを吊り下げても良い。しかしながら、端面板７４が一方の端７３に取り付けられているので、ブロック７９の重心はブロックの中央ではなく端面板７４の方向に偏心あるいはシフトした位置にしている。したがって、図１０に示すように、ブロック７９は吊り下げたときに傾いてしまい、ロープ１７とブロック７９が貫通孔６０の位置で接触する可能性が高く、ロープの磨耗を防止するためにパッドを当てるなどの処理が必要になる。さらに、傾いた状態でブロック７９が吊り込まれると、位置決めが難しく、また、隣接するブロックに対して密着した状態に設置することができないなどの問題も生ずる。
【００４３】
これに対し、図９に示したブロック７２においては、貫通孔６０が偏心した、ブロック７２の重心の上、あるいは垂心上に配置されており、また、アンカー６５も、その貫通孔６０を中心とした位置に配置されている。したがって、アンカー６５にアイボルト６６を装着し、ロープ１７を取り付けて吊り上げると、ロープ１７は貫通孔６０と干渉しないでブロック７２を吊り上げることができる。また、ブロック７２の重心を上に吊り上げるので、ブロック７２にモーメントは発生せず、ブロック７２を平行な、傾かない状態で埋設領域１３に搬入することができる。このため、所望の場所に精度良くブロック７２を設置することができる。
【００４４】
図１１に本発明のさらに異なるコンクリートブロックの例を示してある。このコンクリートブロック７６の全体形状は、上述したコンクリートブロック７２と同様に一方の端７３にケーブル接続用のベルマウスあるいはその他の配管７５が予め埋め込まれた端壁７４が取り付けられているものである。このため、本例のコンクリートブロック７６も重心はスラブ５３の中央ではなく、端壁７４の側にシフトしている。本例のブロック７６は、図１１（ｂ）に示すように、スラブ５３の中央から端壁７４の側に寄った位置に、端壁７４が延びた方向と直交する方向に長い、断面が長方形の貫通孔に偏心した位置に貫通孔６７が形成されている。したがって、図１１（ａ）に示すように、この貫通孔６７を通してフック１８をブロック７６の内部に挿入することが可能であり、クレーンで搬入する際のクリアランスを短くすることができる。
【００４５】
さらに、このブロック７６は、一方の端に端壁７４が取り付けられているので、重心がスラブ５３の中央にはなく、端壁７４の側にシフトしている。一方、端壁７４の重量は、壁の厚み、端壁７４に予め埋設された配管７５の数、大きさによって変わる。そして、埋設される配管７５のサイズおよび数量は、ブロック７６を用いて施工されるボックスによって変わる可能性がある。さらに、配管７５を埋設する代わりに、壁の一部の厚みを薄くして後で穴あけをしやすくしたノック穴が形成される可能性もある。したがって、ブロック７６の重心の位置は必ずしも一定にならない。しかしながら、端壁７４と直角な方向あるいは直交する方向に長い貫通孔６７を設けることにより、端壁７４の重量の変動による重心の移動に対処することが可能となる。また、端壁７４の取り付けられていないブロックにおいても、重心の位置が精度良く定め難い方向、例えば、ブロックの長手方向に延びた貫通孔をスラブ５３に設けることにより、種々の要因による重心の多少の移動に対し柔軟に対処できる。
【００４６】
図１２に本発明のさらに異なるコンクリートブロックの例を示してある。このコンクリートブロック７７の全体形状は、上壁５３、底壁５１および側壁５２を備え、内部に水平方向に延びたスペース５６が形成された横に長い角筒状である。さらに、上壁５３の一方の端面５５に切欠き６８が形成されており、この切欠き６８を通してワイヤロープ１７を底面５１ａのアイボルト６６に取り付けできるようになっている。このコンクリートブロック７７は、ボックス１を組み立てる際に、切欠き６８が設けられた端面５５が、隣接する他のブロックに接するようにブロック７７を設置することにより、切欠き６８がボックス１の上壁を貫通する孔となる。したがって、ブロック７７を組み立てた後にワイヤロープ１７を外すことができ、ブロック７７の高さを吊り代の一部としてクレーンで吊り上げて所定の場所に搬入することができる。切欠き６８は両方の端面５５に設けておいても良い。
【００４７】
上壁５３の端面５５に設けられた切欠き６８を用いてワイヤロープ１７を取り付けるときは、ワイヤロープ１７と上壁５３の間に適当な部材を入れて、これらが擦れてロープ１７あるいは端面５５が損傷しないようにする必要がある。したがって、上述したように、上壁５３を貫通する孔６０、６３あるいは６７を用いた方が現場でボックスを施工する際に手間がかからず労力を軽減できる。しかしながら、ワイヤロープ１７が通る程度の幅の狭いスリット状の切欠き６８を設けるのみで、ボックス７７を吊り込むために必要なクリアランスＣを小さくできる。また、切欠き６８の幅は狭いので、小径の貫通孔と同様にキャップやコンクリートなどにより現場で切欠き６８を塞ぐことは容易である。
【００４８】
図１３に、本発明のコンクリートブロックを組み合わせてコンクリート製のボックス１を製造あるいは施工した様子を示してある。図１３（ａ）のコンクリート製ボックス１ａは、鋳鉄製の蓋６が着脱可能に取り付けられたマンホール５を有するブロック３１と、上壁に吊り込み用の貫通孔を有するブロック７０と、端壁７４が取り付けられたブロック７６とを組み合わせて製造した例である。このボックス１ａにおいては、蓋６が搭載される開渠８１の部分は、予め作業員が出入できる程度の径の大きな、直径がほぼ６００ｍｍ以上のマンホール５を有するブロック３１により形成され、上壁が閉じられた状態となる暗渠８２の部分は、ワイヤロープあるいはフックが通過する程度のサイズの貫通孔６３または６７が上壁５３に形成されたブロック７０および７６により形成されている。そして、ブロック７０および７６については、組み立てられた後に、それらの上壁５３に設けられた貫通孔６３および６７は適当なサイズのコンクリート製のキャップなどにより封止されている。このように、本発明においては、暗渠部８２を最初から上壁５３が完全にふさがれたブロックで形成するのではなく、現場でも簡単に塞ぐことができる程度のサイズで、ワイヤロープあるいはクレーンのフックを通すことができる程度のサイズの貫通孔が設けられたブロックを利用することにより、ブロックの吊り込みを容易とし、施工現場における撤去および復元といった手間およびコストが発生する作業を防止している。
【００４９】
図１３（ｂ）に示したボックス１ｂは、マンホール５を有するブロック３１と、上壁５３の端面５５に切欠き６８を設けたブロック７７と、端壁７４が取り付けられたブロック７６とを組み合わせて製造した例である。そして、ブロック７７および７６においては、切欠き６８と貫通孔６７とを現場コンクリートなどにより塞いで暗渠部８２を形成している。
【００５０】
上壁（スラブあるいは天井壁）を備えた暗渠あるいはカルバートタイプのコンクリート製ブロックにおいて、作業員が出入するための開口部、すなわちマンホールのある開渠用のユニットとは異なり、アンカーは上面に設けるしかなく、吊り込みのために大きなクリアランスを必要としていた。このため、電線やガードレールなどの障害物があり、上も下も逃げようがない場合は、少なくともいずれか一方の障害物を一時的に撤去し、施工が終了した後に復旧する作業を行わざるを得ず、共同溝などのコンクリートボックスをプレハブされたブロックにより現場で製造する場合に大きな障害となっていた。これに対し、本発明のコンクリート製ブロックであれば、マンホールのない暗渠用のユニットであっても、その底面にアンカーを設けて吊り下げることが可能となる。したがって、吊り込むためのクリアランスを小さくすることができ、障害物を撤去したり、復旧する作業を省くことが可能となる。このため、コンクリート製ボックスを施工する期間を大幅に短縮でき、また、施工費用を削減できる。さらに、コンクリート製ボックスを施工する場所もよりフレキシブルに選択することが可能となる。また、マンホールのないブロックであってもマンホールのあるブロックと同様の作業で吊り込むことができるので、ブロックの組み合わせの自由度も向上し、不必要なところにマンホールのあるブロックを組み合わせて、高価な大型の鋳鉄製の蓋を無駄に使うことも防止できる。
【００５１】
なお、上記の例では、アンカーとなるインサートを埋設したブロックを例に本発明を説明しているが、ロープを取り付けるアイボルトなどの取付具を予め埋設しておいても良い。しかしながら、アイボルトはブロックを所定の場所に設置した後は不要となり、ブロック内にアイボルトが突き出ている状況は使用上好ましいとは言えない。したがって、上記のようにアイボルトは取り外しできるようになっていることが望ましい。また、上記のコンクリートブロックでは、アンカーは底板５１に埋設されているが、吊り用のロープを取り付けるのに適当な位置であれば、側面あるいは側壁５２にアンカーを埋設しておいても良い。
【００５２】
また、貫通孔が偏心している例として端面板が取り付けられたブロックを上記では示しているが、側壁５２の厚みが異なるコンクリート製ブロックなど、他の要因で重心がブロックの中央にないものにおいても、上記と同様に重心の上に貫通孔を設けることにより水平にボックスを吊りこむことができる。
【００５３】
また、上記では、電線の地中化に用いられる共同溝（ＣＣボックス）を例に本発明を説明しているが、その他の構造物で、上壁を有するユニットを組み立ててボックスを形成する際にも本発明を適用できる。例えば、組み立て式の防火水槽、排水層、油水分離槽などのコンクリート製の水槽、組み立て式の地下道など、様々なボックス構造体に本発明を適用できる。
【００５４】
【発明の効果】
以上に説明したように、本発明においては、上壁を有するコンクリート製ブロックの上壁にフックあるいはワイヤロープが通る程度の小さな貫通孔を設けることにより、マンホールのないブロックであっても、その底面にアンカーを設けて吊り下げることが可能となる。したがって、吊り込むためのクリアランスを小さくすることができ、コンクリート製ボックスをブロックを組み合わせて施工する際に、障害物を撤去したり、復旧する作業を省くことが可能となる。このため、コンクリート製ボックスを施工する期間を大幅に短縮でき、また、施工費用を削減できる。
【図面の簡単な説明】
【図１】本発明のコンクリートブロックの例を示す斜視図である。
【図２】図１に示すコンクリートブロックの断面図である。
【図３】図１に示すコンクリートブロックにキャップを取り付ける状態を示す図である。
【図４】図１に示す底板にアンカーが設けられたコンクリートブロックを吊り込む様子を、スラブにアンカーが設けられたコンクリートブロックを吊り込む様子と比較して示す図である。
【図５】図５（ａ）は、本発明の異なるコンクリートブロックの例を断面図であり、図５（ｂ）は、上壁を拡大して示す断面図である。
【図６】本発明のさらに異なるコンクリートブロックの例を示す斜視図である。
【図７】図７（ａ）は、図６に示すコンクリートブロックの貫通孔の長辺方向の断面図であり、図７（ｂ）は、短辺方向の断面図である。
【図８】図６に示すコンクリートブロックを吊り込む様子を示す図である。
【図９】図９（ａ）は、本発明のさらに異なるコンクリートブロックの例を示す断面図であり、図９（ｂ）は、そのコンクリートブロックを上方から見た様子を示す平面図である。
【図１０】図９に示すコンクリートブロックと比較するブロックを示す断面図である。
【図１１】図１１（ａ）は、本発明のさらに異なるコンクリートブロックの例を示す断面図であり、図１１（ｂ）は、そのコンクリートブロックを上方から見た様子を示す平面図である。
【図１２】図１２は、本発明のさらに異なるコンクリートブロックの例を示す斜視図である。
【図１３】上記のコンクリートブロックを用いてコンクリート製のボックスを組み立てた例を示す図である。
【図１４】共同溝用のコンクリート製ボックスを埋設領域に組み立てた概要を示す図であり、図１４（ａ）および（ｂ）は、３つのブロックによりボックスを製造した例を示し、図１４（ｃ）は、４つのブロックによりボックスを製造した例を示す平面図である。
【図１５】Ｕ字型のユニットを用いてボックスを構成する様子を示す図である。
【図１６】埋設領域の概略構成を示す図である。
【図１７】Ｕ字型のユニットを吊り込む様子を示す図である。
【図１８】Ｕ字型のユニットをクレーンにより埋設領域に搬入する様子を示す図である。
【図１９】スラブを備えたカルバートタイプであってマンホールのあるユニット（コンクリートブロック）をクレーンより埋設領域に搬入する様子を示す図である。
【図２０】スラブを備えたカルバートタイプであってマンホールのないユニット（コンクリートブロック）をクレーンより埋設領域に搬入する様子を示す図である。
【符号の説明】
１、１ａ、１ｂ    コンクリート製のボックス
５０、７０、７１、７２、７６、７７    コンクリートブロック
５１    底壁（底板）、５１ａ    底面
５３    上壁（スラブ、天井壁）、５３ａ    上面（スラブ面）
６０、６３、６７    貫通孔
６１、６４    キャップ
【図１】
0003703461.tif 000002
【図２】
0003703461.tif 000003
【図３】
0003703461.tif 000004
【図４】
0003703461.tif 000005
【図５】
0003703461.tif 000006
【図６】
0003703461.tif 000007
【図７】
0003703461.tif 000008
【図８】
0003703461.tif 000009
【図９】
0003703461.tif 000010
【図１０】
0003703461.tif 000011
【図１１】
0003703461.tif 000012
【図１２】
0003703461.tif 000013
【図１３】
0003703461.tif 000014
【図１４】
0003703461.tif 000015
【図１５】
0003703461.tif 000016
【図１６】
0003703461.tif 000017
【図１７】
0003703461.tif 000018
【図１８】
0003703461.tif 000019
【図１９】
0003703461.tif 000020
【図２０】
0003703461.tif 000021